(57)【要約】      （修正有）【課題】自動車の車内でティッシュペーパーボックスのサイズが大きいもの（サイズ例：縦２３０ｍｍ横１１５ｍｍ高さ５５ｍｍ）を使用した時、狭い空間のため、その大きさが邪魔になることがある。狭い空間である車中で、車に乗車した人に邪魔にならず、ティッシュペーパーが取り出し易く、使用後のティッシュペーパーゴミが捨てやすいティッシュペーパーボックスホルダーを提供する。【解決手段】車のフロントシート５の間でアームレスト４の後部の面にティッシュペーパーが入ったティッシュペーパーボックス２とティッシュペーパーが入っていないティッシュペーパーボックス３を水平に並べて置くためのティッシュペーパーボックスホルダー１を取り付けるための受け７を備え、該ティッシュペーパーボックスホルダー１を着脱可能に固定した。【選択図】図１
2017077904.tif 000002
【特許請求の範囲】
【請求項１】
車のフロントシートの間でアームレストの後部の面にティッシュペーパーが入ったティッシュペーパーボックスとティッシュペーパーが入っていないティッシュペーパーボックスを水平に並べて置くためのティッシュペーパーボックスホルダー（１）を取り付けるための受け（７）を備え、該ティッシュペーパーボックスホルダーを着脱可能に固定したことを特徴とするティッシュペーパーボックスホルダー。
【発明の詳細な説明】
【技術分野】
【０００１】
この発明は自動車の車内等に取り付けて使用することが出来るティッシュペーパーボックスホルダーとティッシュペーパーボックスとゴミ箱として使用するティッシュペーパーボックスの空箱に関する。
【背景技術】
【０００２】
一般にティッシュペーパーボックスはサイズが大きいもの（サイズ例：縦２３０ｍｍ横１１５ｍｍ高さ５５ｍｍ）を使用しているが、狭い空間で使用する場合その大きさが邪魔になることがある。狭い空間である車中で、車に乗車した人に邪魔にならず、ティッシュペーパーが取り出し易く、使用後のティッシュペーパーゴミが捨てやすいティッシュペーパーボックスホルダーを提供する。
【先行技術文献】
【特許文献】
【０００３】
【特許文献１】この種の従来技術としては、特開２００３−１９２０５８があるが、ホルダーが吊り下げられているためティッシュペーパーを取り出す際、取り出す時の抵抗でホルダー全体が移動し片手では取り出しにくかった。また、ティッシュペーパーボックスからはみ出したティッシュペーパーの長さが長い（例：１３ｃｍ）ため、運転中揺れるティッシュペーパーが視界に入り気になることがあった。また、使用後のティッシュペーパーのゴミ捨て場所は別のゴミ捨て場が必要であった。
【特許文献２】特開２００２−１４５３６２は運転者が取り易い位置へティッシュペーパー収納容器を固定すると、ティッシュペーパーボックスからはみ出した長いティッシュ（例：１３ｃｍ）が運転中揺れるため、ルームミラー等に映り、気になることがあった。また、ティッシュペーパーボックスの交換もやや手間がかかった。また、使用後のティッシュペーパーを入れるくず箱が別に必要であった。
【非特許文献】
【０００４】
【非特許文献１】リアシートの先端側中央にティッシュペーパーボックスを置き、使用することもあるが距離が離れているためティッシュペーパーを取りずらく、運転中ティッシュペーパーボックスが移動したりして容易に取り出しにくかった。
【発明の概要】
【発明が解決しようとする課題】
【０００５】
自動車の車内でティッシュペーパーボックスのサイズが大きいもの（サイズ例：縦２３０ｍｍ横１１５ｍｍ高さ５５ｍｍ）を使用した時、狭い空間のため、その大きさが邪魔になることがある。狭い空間である車中で、車に乗車した人に邪魔にならず、ティッシュペーパーが取り出し易く、使用後のティッシュペーパーゴミが捨てやすいティッシュペーパーボックスホルダーを提供する課題があった。
【課題を解決するための手段】
【０００６】
車のフロントシートの間でアームレストの後部の面にティッシュペーパーが入ったティッシュペーパーボックスとティッシュペーパーが入っていないティッシュペーパーボックスを水平に並べて置くためのティッシュペーパーボックスホルダー（１）を取り付けるための受け（７）を備え、該ティッシュペーパーボックスホルダーを着脱可能に固定したことを特徴とするティッシュペーパーボックスホルダー。
【発明の効果】
【０００７】
ティッシュペーパーボックスのサイズが大きいもの（サイズ例：縦２３０ｍｍ横１１５ｍｍ高さ５５ｍｍ）を使用しても、車内の狭い空間でもその大きさが車に乗車した人に邪魔にならず、運転者、助手席者、リアシートへ乗車した人すべてがティッシュペーパーが取り出し易く、使用後のティッシュペーパーゴミが捨てやすいティッシュペーパーボックスホルダーを提供できる。空き箱のテッシュペーパーボックスをゴミ箱として利用しているが満杯になったらボックスごとそのまま紙屑として廃棄できる。
【図面の簡単な説明】
【０００８】
【図１】本発明のティッシュペーパーボックスホルダー（１）を車内に設置した実施例の平面図。
【図２】車内へティッシュペーパーボックスホルダー（１）を設置した実施例の詳細側面図。
【図３】図２の平面図である。
【発明を実施するための形態】
【０００９】
以下、図面に示す実施の形態を参考にしながら、本発明を詳細に説明する。図２に示す通り、アームレスト（４）の開閉に邪魔にならない位置でティッシュペーパーボックスホルダー（１）の底面がリアシート（６）の上面に係る程度の位置になるように受け（７）を水平にアームレストの後部の面に木ねじ（８）で固定する。受け（７）は自動車製造工程であらかじめ部品としてアームレスト（４）の後部に樹脂成型しておけば尚よい。平板にティッシュペーパーボックスが水平に２個入るように囲いを設けたティッシュペーパーボックスホルダー（１）を蝶ボルト（１０）と蝶ナット（９）と平座金とばね座金を使用して手で、受け（７）に固定する。ティッシュペーパーボックスホルダー（１）にティッシュが入ったティッシュペーパーボックスとゴミ箱として利用する空箱のティッシュペーパーボックスをいれて完成となる。
今回の実施例はティッシュペーパーボックスホルダー（１）を杉材で製作したが、車内の色とマッチする色の樹脂で一体成型すればさらにおっしゃれとなり、ティッシュペーパーボックスを隠す車内の色とマッチする色の樹脂でティッシュペーパーの取り出しとごみ入れに支障のない孔をあけた全体を覆う蓋を付ければおしゃれ度は向上する。普通乗用車セダンタイプに５人乗る場合はティッシュペーパーボックスホルダー（１）を取り外せば、受け（７）は取り付けたままの状態で対応できる。フロントシートのリクライニングでシートを後ろ側へ倒すことも支障なくやりたいときはフロントシートの運転席と助手席の隙間よりティッシュペーパーボックスホルダー（１）の幅を狭くできるティッシュペーパーボックスを選定すればよい。
【実施例】
【００１０】
受け（７）はアルミアングル３０ｍｍ×３０ｍｍ×厚１ｍｍ長さ１８０ｍｍの一面中央に長手方向センター振り分けでピッチ１００ｍｍの６．５ｍｍの孔をあけ、他の一面には中央に長手方向センター振り分けでピッチ１６０ｍｍの８ｍｍの孔をあけた。端部の鋭利な部分はやすりでＲ加工を施した。ピッチ１００ｍｍの孔側をアームレスト（４）の開閉に邪魔にならない位置でティッシュペーパーボックスホルダー（１）の底面がリアシート（６）の上面に係る程度の位置になるように受け（７）を水平にアームレストの後部の面に木ねじ（８）で固定した。杉材の縦２８０ｍｍ・横２４０ｍｍ・厚み１３ｍｍのベース板は縦方向端から３０ｍｍの位置で縦方向センター振り分けでピッチ１６０ｍｍで８ｍｍの孔をあけ、縦方向側面に縦２５４ｍｍ・横４０ｍｍ・厚み７ｍｍの杉材をベース板の底面からはみ出さない様、孔をあけていない方へ７ｍｍ突き出して高さ２７ｍｍになるよう両側面に接着した。孔をあけていない側面に縦２４０ｍｍ・横４０ｍｍ・厚み７ｍｍの杉材をベース板の底面からはみ出さない様、接着した。孔をあけた方の横方向は囲いを閉じる位置へ縦２４０ｍｍ・横４０ｍｍ・厚み７ｍｍの杉材を高さ４０ｍｍで接着し、ティッシュペーパーボックスを入れるための囲いを完成させた。囲いの内寸は縦横ともに２４０ｍｍとなった。囲いを接着したティッシュペーパーボックスホルダー（１）を蝶ボルト（１０）と蝶ナット（９）と平座金とばね座金を使用して手で、受け（７）に固定した。ティッシュペーパーボックスホルダー（１）にティッシュが入ったティッシュペーパーボックスとゴミ箱として利用する空箱のティッシュペーパーボックスをいれて完成させた。
【産業上の利用可能性】
【００１１】
一般のホームセンターで材料は調達でき、比較的簡単に製作ができ、効果もあることから一般に普及することが出来る。また、樹脂で成型すればより安価に製作することが出来、さらに普及を拡大できる。
【符号の説明】
【００１２】
１      ティッシュペーパーボックスホルダー
２      ティッシュが入ったティッシュペーパーボックス
３      空箱のティッシュペーパーボックス
４      アームレスト
５      フロントシート
６      リアシート
７      受け
８      木ねじ
９      蝶ナット
１０      蝶ボルト
【図１】
2017077904.tif 000003
【図２】
2017077904.tif 000004
【図３】
2017077904.tif 000005